(57)【特許請求の範囲】
【請求項１】
内容物を収納する中皿を、保持枠体を固定した収納凹部に着脱自在に保持する容器本体と、該容器本体にヒンジを介して蝶着された蓋体とからなるコンパクト容器において、
前記容器本体の収納凹部の底部には貫通穴が形成され、前記保持枠体には該貫通穴に対応する位置に、連結部を介して枠体本体に連続する押上片が形成されており、前記連結部はブリッジにより前記枠体本体に連結され、かつ前記連結部の上側には、前記押上片の押圧時、連結部の上方への移動を許容する空間が形成されることを特徴とするコンパクト容器。
【請求項２】
前記保持枠体の一部に、前記押上片の一部に当接して前記押上片の動きを規制する規制部を形成したことを特徴とする請求項１記載のコンパクト容器。
【発明の詳細な説明】
【０００１】
【産業上の利用分野】
本発明は、内容物、例えば化粧料が収納された中皿を簡単に交換することが出来るコンパクト容器であって、特に容器本体の貫通穴を介して保持枠体の押上片を押上げることによって容器本体の収納凹部に収納された化粧皿を持ち上げて容易に交換し得るようにしたコンパクト容器に関するものである。
【０００２】
【従来の技術】
従来のこの種のコンパクト容器において、容器本体に収納した化粧皿を簡単に押上げて交換し得る公知技術としては、実開平５−７４４１０号公報に示す技術がある。この公知技術に係るコンパクト容器は、容器本体の底部にＵ字状のスリットを形成し、スリットで囲まれた部分を押上片としたものである。そして、この押上片を容器本体の底面に開口した貫通穴から指先で押上げることにより、容器本体の収納凹部に収納された中皿を持ち上げて、これを交換するものである。
【０００３】
【発明が解決しようとする課題】
しかしながら、上記従来のコンパクト容器においては、全体の構造が簡単であるものの、保持枠体の底部に形成された押上片は、保持枠体との連結部を曲げることによって回動し中皿を押上げるが、折り曲げ角度に限度があり、これを超えて折り曲げると根本部分が切断されてしまう可能性があった。また、押上片が動く際の負荷は全て連結部に集中するために、大きなストロークで何度も押圧を繰り返すと、同様に疲労によりこの部分が切断されてしまう可能性があった。
【０００４】
このため、この押上片の移動ストロークを小さくせざるを得ず、これを大きく折り曲げて、容器本体内に収納した中皿を充分に持ち上げることが困難な場合があった。また、上記したように、度々押圧を繰り返すと、連結部の疲労により弾性復帰が困難になるので、従来例のようなコンパクト容器は長期に亘って使用することが困難であるという問題もあった。
【０００５】
そこで本発明に係るコンパクト容器は、中皿を保持する保持枠体の底部に押上片を形成し、この押上片の移動ストロークを、押上片の連結部に負担をかけずに大きくすることができ、中皿を大きく持ち上げて、容易に交換し得るようにすることを目的とする。
【０００６】
【課題を解決するための手段】
本発明は、内容物を収納する中皿を、保持枠体を固定した収納凹部に着脱自在に保持する容器本体と、該容器本体にヒンジを介して蝶着された蓋体とからなるコンパクト容器において、前記容器本体の収納凹部の底部には貫通穴が形成され、前記保持枠体には該貫通穴に対応する位置に、連結部を介して枠体本体に連続する押上片が形成されており、前記連結部はブリッジにより前記枠体本体に連結され、かつ前記連結部の上側には、前記押上片の押圧時、連結部の上方への移動を許容する空間が形成されるコンパクト容器を提案して、上記課題を解決する。
【０００７】
また、前記保持枠体の一部に、前記押上片の一部と当接して前記押上片の動きを規制する規制部を形成し、押上片が必要以上に押し上げられて連結部が破損することを防止する構造としてもよい。
【０００８】
【発明の実施の形態】
本発明に係るコンパクト容器の第１実施例を以下に説明する。同コンパクト容器は化粧品を中皿に収納し、化粧品を消費した際に、この中皿を新しいものに交換し、くり返しの使用が可能なコンパクト容器である。図１は第１実施例のコンパクト容器の分解斜視図、図２は同実施例の容器本体の部分平面図、図３は同実施例の容器本体の側断面図、そして図４は同実施例の押上片の作動の説明図である。
【０００９】
図１乃至図３に示すように、本実施例のコンパクト容器１は、それぞれ合成樹脂製の容器本体２と蓋体３の一端に形成された蝶番部２ａ、３ａを２本の蝶番ピン４、４を用いて枢着し、開閉可能な構造としたものである。この枢着側と反対側には、容器本体２及び蓋体３のそれぞれに係合凸部２ｂ、係合爪３ｂ（図４参照）が形成され、蓋体３を閉じた際、両者が噛み合ってを閉じた状態を保持する。また、蓋体３の内面には鏡３ｃが貼着されている。
【００１０】
容器本体２の内側には、収納凹部５が形成され、この収納凹部５には中皿（図示せず）を保持する保持枠体６を固定する。この収納凹部５の底部５ａには、容器本体２の下面に開口する貫通穴５ｂが形成されている。また、収納凹部５の対向する２面の内壁面５ｃには係合凹部５ｄ，５ｄが形成されている。
【００１１】
保持枠体６は、底板６ａの周縁に立設壁６ｂが立ち上がったトレー状の形状を有する。この保持枠体６には、立設壁６ｂから底板６ａにかけて連続するＵ字状の第１のスリット６ｃが形成されており、このスリット６ｃにより縁取られた内側が押上片７となる。
【００１２】
図３に示すとおり、この押上片７は下面に突起７ａが形成されており、この突起７ａは収納凹部５の貫通穴５ｂと同じ形状を有し、保持枠体６を容器本体２の収納凹部５に納めた際にこの貫通穴５ｂにはまり込む構造となっている。但し、突起７ａの高さは貫通穴５ｂの厚さと同一か、それよりやや低く設定されており、容器本体２ａの裏面からこの突起７ａが突出することはない。
【００１３】
保持枠体６の立設壁６ｂの外周面には、先に説明した容器本体２の係合凹部５ｄ、５ｄに対応する位置に、係合突起６ｅ、６ｅが形成されており、保持枠体６を収納凹部５に押し込むと、両者が噛合して、保持枠体６は容器本体２に確実に固定される。なお、保持枠体６はその内側に、シート状の粘着材９等を用いて化粧品を収納した中皿８を保持する（図４参照）。
【００１４】
また、保持枠体６の立設壁６ｂには、第１のスリット６ｃに加えて、押上片７の連結部７ｂの上側に、第２のスリット６ｄが形成されている。このため、押上片７は保持枠体との連結部７ｂにおいて、その両脇を２本のスリット６ｃ，６ｄによって挟まれたブリッジ７ｄ、７ｄにより支持された状態となる。これら保持枠体６及び押上片７は弾性および充分な可塑性を有する合成樹脂材で一体に形成され、これらブリッジ７は板バネとして作用する。
【００１５】
次に、図４を用いて、中皿の取り外し作業を説明する。同図(a) に示すように、通常、中皿８は粘着材９により保持枠体６内に固定され、コンパクト容器１の使用時には蓋体３を開いて、中皿８の化粧料を使用する。そして、中皿８内の化粧料を消費し、新しい中皿に替える場合、または別種類の化粧料を収納した中皿に替える場合等、既存の中皿８を取り外す場合は、押上片７を指で押上げることにより中皿８を保持枠体６から取出す。
【００１６】
図４(b) に示すように、蓋体３を開いた状態で、容器本体２の底面の貫通穴５ｂにその下面が表れる、押上片７の突起７ａを指先で押圧する。この押上片７を上方に押上げる力は連結部７ｂを介してブリッジ７ｄ，７ｄ（図３参照）に伝達され、第２のスリット６ｄの範囲でブリッジ７ｄ、７ｄが屈曲して、結果として押上片７全体が上方に移動する。そして中皿８は、押上片７の移動にともない、粘着材９の留め付けを振り切って上方に押し上げられることになる。
【００１７】
そして、図４(c) に示すように、さらに押上片７に力を加えると、ブリッジ７ｄ，７ｄ（図３参照）がねじれ、押上片７はこれらを軸に回動し、押上片７の自由端がさらに中皿８の底を押上げて、中皿８は保持枠体６から大きく持ち上げられ、手で簡単に取り外すことができる。
【００１８】
このように、本実施例のコンパクト容器では、第２のスリット６ｂが押上片７の上方への移動を許容し、その移動ストロークを大きくすることができるために、容器本体２からの中皿８の取出し作業が容易となる。また、本実施例では、押上片７の押圧時、ブリッジ７ｄ，７ｄが屈曲し、同時にねじれるために、部分にかかる負担を小さくすることができ、耐久性に優れたコンパクト容器となる。
【００１９】
次に、本発明の第２実施例を図５乃至図７を用いて説明する。図５は第２実施例のコンパクト容器の分解斜視図、図６は同実施例の容器本体の横方向の側断面図、図７は同実施例のコンパクト容器の縦方向の側断面図である。本実施例のコンパクト容器は、保持枠体を立設壁のみで構成したものであって、その他、第１実施例と同じ部材、部分は同じ番号を付して説明を省略する。なお、以下の他の実施例も同様とする。
【００２０】
これら図に示すように、本実施例の保持枠体16は、四角形の立設壁16ａによって構成されており、第１実施例の保持枠体と異なり底板を有さない。このため、底板がない分、薄い保持枠体を形成することができ、かかる構造は薄手のコンパクト容器に使用するのに適する。
【００２１】
立設壁16ａの一辺には、枠内に突出するように押上片17が一体に形成されている。押上片17は下面に突起17ａを形成しており（図６、図７参照）、一端の連結部17ｂにおいて保持枠体16に連続している。この連結部17ｂに隣接して、立設壁16ａにはスリット16ｄが形成されており、押上片17は連結部17ｂにおいて両側をブリッジ17ｃ，17ｃで支持された構造となる。また、枠16の両側面には、容器本体２側の係合凹部５ｄ、５ｄに係合する係合突起16ｃ，16ｃが形成されている。
【００２２】
容器本体２の収納凹部５には、貫通穴５ｂの周辺に押上片17に対応する凹部５ｅが形成されている。このため、保持枠体16を収納凹部５にはめ込んだ際、押上片17はこの凹部５ｅにはめ込まれ、さらに下面の突起17ａが貫通穴５ｂにはめ込まれる。容器本体２の下面に開口した貫通穴５ｂから指先で押上片17を押圧すれば、スリット16ｂの高さ分、ブリッジ17ｃ, 17ｃが屈曲し、さらに押上片17がこれらブリッジ17ｃ, 17ｃを中心に回動して中皿８を押し上げ、これを収納凹部５から取り外すことができる。
【００２３】
本発明の第３実施例を図８及び図９を用いて説明する。図８は同実施例の保持枠体の部分断面斜視図、図９は同実施例の容器本体の側断面図である。本実施例のコンパクト容器は、押上片の連結部を１本のブリッジにより支持したものである。
【００２４】
本実施例の保持枠体26は、第１実施例の保持枠体と同様に、底板26ａの周縁に立設壁26ｂが立ち上がったトレー状の形状を有し、この保持枠体26の外周面には、容器本体２の係合凹部５ｄにはめ込んで、これを固定するにするための係合突起26ｅが形成されている。
【００２５】
この保持枠体26には、立設壁26ｂから底板26ａにかけて連続する第１のスリット26ｃが、さらに、保持枠体26の立設壁26ｂには、同第１のスリット26ｃと平行に第２のスリット26ｂが形成されている。両スリット26ｃ，26ｄは、一端においてつながっており、これら両スリット26ｃ，26ｄにより囲まれた部分が押上片27となる。この押上片27の下面には、容器本体２の貫通穴５ｂに対応する突起部27ａが形成される。また、この押上片27は、保持枠体26との連結部27ｂにおいて、一本のブリッジ27ｄにより支持された状態となっている。
【００２６】
容器本体２の下面の貫通穴５ｂに露出する押上片27を指先で押圧すると、押上片27が第２のスリット26ｂ側に移動し、さらにブリッジ27ｄがねじれて同押上片27を大きく押上げることができる。図９においては中皿を図示しないが、この押上片27により、第１実施例の図４と同様に中皿を収納凹部５から持ち上げ、これを簡単に取り外すことができる。
【００２７】
本発明の第４実施例を図１０を用いて説明する。同図は第４実施例のコンパクト容器の分解斜視図である。本実施例のコンパクト容器は、押上片の移動ストロークを規制したコンパクト容器である。
【００２８】
図１０に示すように、本実施例の保持枠体36は、第１実施例と同様に、底板36ａの周縁に立設壁36ｂが立ち上がったトレー状の形状を有し、第１のスリット36ｃ及び第２のスリット36ｄにより縁取りされた、押上片37を形成している。押上片37はその連結部37ｂにおいて、両側をブリッジ37ｄ，37ｄに支持される。但し、第１のスリット36ｃは、押上片37の両側へ大きく迂回しており、この部分に張出部37ｅ，37ｅが形成される。
【００２９】
この押上片37の張出部37ｅ，37ｅは、その先端がそれぞれ保持枠体36の立設壁36ｂに達し、この部分に第１のスリット36ｃと連続する移動規制窓36ｆ, 36ｆが形成される。かかる構造によっては、押上片37を押圧してこれを押上げると、張出部37ｅ, 37ｅの先端が移動規制窓36ｆ，36ｆの上端に当接し、押上片37がそれ以上の角度で折れ曲がることを防止することができる。そして、連結部37ｂにかかる負担を軽減してより耐久性に優れたコンパクト容器を構成することができる。押上片37の移動ストロークはこの移動規制窓36の高さを変えることによって設定することができる。なお、保持枠体36の外周面には、収納凹部５の係合凹部５ｄ，５ｄに噛合する係合突起36ｅ，36ｅが形成されている。
【００３０】
なお、以上説明した第１乃至第４実施例においては、いずれも押上片を保持枠体と一体成形したが、本発明はこれに限定されるものではなく、押上片を別部品として成形して、これを保持枠体に組み付ける構造としてもよい。また、これら実施例においては、押上片の押圧時、連結部の押圧方向への移動を許容する空間として、スリットを形成したが、同様にこれに限定されるものではなく、保持枠体に切り欠きを形成してこの空間を形成してもよいことは勿論である。
【００３１】
【発明の効果】
本発明によっては、押上片の連結部の上方に空間を設け、これが押上片の押圧方向への移動を許容するために、押上片の移動ストロークを大きく設定することができる。このため、保持枠体に保持される中皿を大きく上方へ押出すことができ、中皿の交換を容易に行うことができるコンパクト容器を構成することができる。
【００３２】
また、同時に、従来、連結部の屈曲変形のみに依存していた押上片の負担を押上片の上下方向の移動と、そのねじれにより部分的にかかる負担を軽くすることができ、耐久性に優れたコンパクト容器を構成することができる。
【００３３】
特に、押上片の移動を規制する規制部を設けたコンパクト容器では、押上片の移動を所定の範囲に押さえるので、押上片の連結部に過大な力がかかって破損してしまうことを防止することができ、より耐久性に優れたコンパクト容器を構成することができる。
【図面の簡単な説明】
【図１】第１実施例のコンパクト容器の分解斜視図である。
【図２】  第１実施例のコンパクト容器の、蓋体を開いた状態での平面図である。
【図３】第１実施例のコンパクト容器の、容器本体の側断面図である。
【図４】第１実施例の中皿の交換作業を示す説明図である。
【図５】第２実施例のコンパクト容器の分解斜視図である。
【図６】第２実施例のコンパクト容器の、保持枠体を組み込んだ容器本体の側断面図である。
【図７】第２実施例のコンパクト容器の側断面図である。
【図８】第３実施例のコンパクト容器の、保持枠体の斜視図である。
【図９】第３実施例のコンパクト容器の、保持枠体を組み込んだ容器本体の側断面図である。
【図１０】第４実施例のコンパクト容器の分解斜視図である。
【符号の説明】
１  …  コンパクト容器
２  …  容器本体
３  …  蓋体
５  …  収納凹部
６，16，26, 36  …  保持枠体
６ｄ，16ｄ，26ｄ, 36ｄ  …  スリット（押上片の移動を許容する空間）
７，17，27，37  …  押上片
８  …  中皿
36ｆ  …  移動規制窓（押上片の移動を規制する規制部）
【図１】
0003779762.tif 000002
【図２】
0003779762.tif 000003
【図３】
0003779762.tif 000004
【図４】
0003779762.tif 000005
【図５】
0003779762.tif 000006
【図６】
0003779762.tif 000007
【図７】
0003779762.tif 000008
【図８】
0003779762.tif 000009
【図９】
0003779762.tif 000010
【図１０】
0003779762.tif 000011